【事件の表示】
　昭和６３年特許願第１０１３５号「画像処理装置」拒絶査定に対する審判事件（平成１年７月２１日出願公開、特開平１−１８４１３７）について、次のとおり審決する。
【結論】
　本件審判の請求は、成り立たない。
【理由】
Ｉ．本願の経緯および本願発明
　本願は、昭和６３年（１９８８年）１月１９日の出願であって、その発明は、平成１１年８月１０日付けの手続補正により補正された明細書および図面の記載からみて、その特許請求の範囲の請求項に記載された事項により特定される次のとおりのものと認める。
「カラーコード化された文字情報、図形情報、ビットイメージ情報の少なくともいずれか一つを入力する入力手段、
　前記入力手段により入力されたカラーコード化された情報を指示された色成分毎にビットイメージ情報に変換し、記憶手段に書き込むビットイメージ変換手段、
　前記記憶手段に記憶されたビットイメージ情報（を）読み出し、カラー画像を色成分毎に再生する画像再生手段に出力する出力手段、
　前記ビットイメージ変換手段によるビットイメージ情報への変換動作を、前記再生手段の再生動作に従って指示された色成分に対応して繰り返す制御手段とを有することを特徴とする画像処理装置。」
ＩＩ．引用例に記載された事項
　これに対して、当審において、平成１１年５月２８日付けで通知した拒絶の理由に引用した、特開昭６１−１１４６８７号公報（以下、「引用例１」という。）、特開昭６０−２５４３２１号公報（以下、「引用例２」という。）、特開昭６２−２０５４７１号公報（以下、「引用例３」という。）、及び特開昭６０−２３６７７３号公報（以下、「引用例４」という。）には、それぞれ次の事項が記載されている。
　［引用例１］
　「まず、入力されたビデオ信号は・・・記録再生ヘッド５により磁気シートディスク６上に１フレーム分の信号が記録される。」（第２頁右下欄第１６〜２０行）、
　「デコーダ１０においては、再生されたビデオ信号により赤色信号Ｒ、緑色信号Ｇ及び青色信号Ｂの３色の原色信号を得ると共に同期信号を分離する。３色の原色信号は色信号選択スイッチ１１によりプリントされる１色の色信号のみが選択されて後段信号記憶手段２へ出力される。後段信号記憶手段２では、選択された色信号はＡ／Ｄ変換器１２によって逐次ディジタル情報に変換され、フレームメモリ１３に書込まれる。・・・ラインメモリ１４では各ラインのプリントに必要な情報が保持され、プリント実現手段３ヘプリント情報を出力する。フレームメモリ１３及びラインメモリ１４に情報を書込むタイミング、順序、アドレスの指定等は全てメモリコントローラ１５によって制御される。」（第３頁左上欄第１３行〜同頁右上欄第１１行）、
　「プリント指令信号が入力端２８に入力されると磁気シートディスク６に記録されたビデオ信号が再生され、デコーダ１０により３色の色信号が得られる。これらの色信号は色信号選択スイッチ１１によりプリントする色信号のみが出力されフレームメモリ１３に書込まれる。」（第４頁左下欄第１０〜１５行）、
　「プリント中における磁気シートディスク６，プリンタのプリント動作及びフレームメモリ１３の記憶内容の関係を第５図を用いて説明する。・・・プリント指令信号が入力されると・・・、磁気シートディスク６は・・・ビデオ信号を再生する。再生ビデオ信号から最初にプリントされる色信号・・・が選ばれてフレームメモリ１３に書込まれる。・・・フレームメモリ１３への書込み完了と共にプリンタはフレームメモリに書込まれた情報に従って最初の色をプリントする・・・最初の１色のプリントが完了するまでフレームメモリ１３にはその色情報が保持される・・・。プリントが完了すると、停止していた磁気シートディスク６は再び回転を始め、次にプリントする色信号が選択されてフレームメモリ１３に書込まれる。・・・次の色信号がプリントされる。フレームメモリには１色のプリント完了まで色信号情報が保持される。最後の色信号・・・についても同様の動作が繰り返されて、１つの画面のプリントを完了する。」（第４頁右下欄第２行〜第５頁左上欄第１２行）、
　「フレームメモリは１色のプリント毎に必要な色信号の情報のみを記憶するだけでよいので必要なメモリ容量は３分の１に減少させることが可能となり、コストの低減化が可能となった。」（第７頁左上欄第１９行〜同頁右上欄３行）。
　［引用例２］
　「カラーコードを記憶する画像メモリと、・・・予め記憶しているＲ（赤）Ｇ（緑）Ｂ（青）の輝度情報を出力するＲＡＭで構成するルックアップテーブルと、・・・前記ルックアップテーブルにＹ（黄）Ｍ（マゼンダ）Ｃ（シアン）のカラーハードコピー装置用ＲＡＭを追加する事を特徴とするカラーハードコピー出力を持つラスタ走査型表示装置。」（特許請求の範囲（１））。
　［引用例３］
　「カラー文書情報を蓄積、検索するカラー文書画像ファイル装置において、入力された１画素当たりｍビットのカラー情報信号（ｍは１以上の整数）をｌ１ビットの輝度コード信号とｌ２、ｌ３ビットの色相コード信号とに分離されたカラーコード信号・・・に変換する第１の変換手段と、このｌ１＋ｌ２＋ｌ３ビットのカラーコード信号をｎビットの画像情報信号（ｎは１以上の整数）に変換する第２の変換手段とを設けたことを特徴とするカラー文書画像ファイル装置。」（特許請求の範囲）、
　「この第２変換部７は、・・・ルックアップテーブル７１に基づいてカラーコード信号・・・をそれに対応する代表色のＲＧＢカラー情報信号に変換する。このカラー情報信号は出力部８により所定の色に再現され、例えばカラーインクジェットプリンター等により出力される。・・・カラーコード信号を蓄積しているので、少ない情報量でカラー文章の蓄積が可能となり、大容量のカラー文章を扱うことができる。」（第３頁第２〜１２行）。
　［引用例４］
　「文字データ及びイメージデータを夫々ビデオ信号に変換し、該変換されたビデオ信号を合成した１画面に画面表示し、該画面表示を印字出力する装置において、前記合成信号をイメージデータに変換する変換手段を備えることを特徴とする出力装置。」（特許請求の範囲）。
ＩＩＩ．対比・判断
　本願の請求項に記載された発明（以下、本願発明という）と引用例１に記載の発明とを比較すると、両者は、
　「情報を入力する入力手段、
　前記入力手段により入力された情報を指示された色成分毎にディジタル情報に変換し、記憶手段（引用例１のフレームメモリ１３に相当。以下、括弧内の記載は引用例１のものを指す。）に書き込む変換手段（メモリコントローラ１５）、
　前記記憶手段（フレームメモリ１３）に記憶された情報（を）読み出し、カラー画像を色成分毎に再生する画像再生手段（プリント実現手段）に出力する出力手段（ラインメモリ１４）、
　前記変換手段（メモリコントローラ１５）による情報の変換動作を、前記再生手段（プリント実現手段）の再生動作に従って指示された色成分に対応して繰り返す制御手段（メモリコントローラ１５）とを有することを特徴とする画像処理装置（プリンタ）。」である点で一致し、次の点で相違する。
　相違点１：入力される情報が、本願発明では、カラーコード化された文字情報、図形情報、ビットイメージ情報の少なくともいずれか一つであるのに対して、引用例１のものでは、ビデオ信号であり、カラーコード化されたものであるかどうか明確でない点。
　相違点２：記憶手段に書き込まれるディジタル情報が、本願発明では、ビットイメージ情報であるのに対して、引用例１のものでは、その点が明確でない点。
　そこで、上記相違点について検討する。
　まず相違点１について。
　カラーハードコピー装置の入力信号として、カラーコード化された信号を利用する点は、引用例２及び引用例３にも記載されているように周知の事項である。また、引用例４には、文字データ及びイメージデータの合成信号をカラーハードコピー装置の入力信号とすることが記載されている。してみれば、引用例１のビデオ信号に代えて、カラーコード化された文字情報、図形情報、ビットイメージ情報の少なくともいずれか一つを画像処理装置の入力信号とすることは、当業者が容易に想到し得たものである。
　次に、相違点２について。
　カラー画像の再生をビットイメージ情報を読み出して行うことは、引用例４にも記載されているように周知の事項である。してみれば、画像再生手段（プリント実現手段）に対して入力されるディジタル情報を、本願発明の如くビットイメージ情報とすることは、当業者が適宜なし得る単なる設計上の問題にすぎない。
　そして、本願発明の構成によってもたらされる効果も、引用例１乃至引用例４に記載された発明から当業者であれば予測できる程度のものであって、格別のものとはいえない。
　４．むすび
　以上のとおりであるから、本願発明は、その出願前に頒布された引用例１から引用例４に記載された発明に基いて当業者が容易に発明をすることができたものであるから、特許法第２９条第２項の規定により特許を受けることができない。
　よって結論のとおり審決する。